(57)【要約】      （修正有）【課題】低年齢の子供でも容易にボルトを締結できるドライバー玩具を提供する。【解決手段】ドライバー玩具は、ボルト１０の頭部１１が嵌め込まれる凹部２０と、凹部２０を回転させる回転部と、を備える。凹部２０は、頭部１１と対向する底部２２と、底部２２に立設され、頭部１１の周りに配置された側部２３と、側部２３に設けられ、頭部１１に係止する爪部２４と、を有している。【選択図】図２
0003229507.tif 000002
【実用新案登録請求の範囲】
【請求項１】
ボルトの頭部が嵌め込まれる凹部と、
前記凹部を回転させる回転部と、を備え、
前記凹部は、
前記頭部と対向する底部と、
前記底部に立設され、前記頭部の周りに配置された側部と、
前記側部に設けられ、前記頭部に係止する爪部と、を有している、ドライバー玩具。
【考案の詳細な説明】
【技術分野】
【０００１】
本考案は、ドライバー玩具及び組立玩具に関する。
【背景技術】
【０００２】
例えば、特許文献１には、子供の玩具として用いられる組立て家具ユニットが記載され
ている。この組立家具ユニットでは、ペーパーハニカムからなる複数の部材がボルトを用
いて組み立てられる。ボルトを合成樹脂製とすると共に、ボルトを締付回転させるドライ
バーも同様の材質とすることにより、子供が安全に使用できる。
【先行技術文献】
【特許文献】
【０００３】
【特許文献１】特開２００８−２８９６３４号公報
【考案の概要】
【考案が解決しようとする課題】
【０００４】
しかしながら、低年齢の子供の場合、手先が不器用であるため、ドライバーを用いたボ
ルトの締結をうまく行えないという問題がある。
【０００５】
本考案は、低年齢の子供でも容易にボルトを締結できるドライバー玩具及び組立玩具を
提供する。
【課題を解決するための手段】
【０００６】
本考案に係るドライバー玩具は、ボルトの頭部が嵌め込まれる凹部と、凹部を回転させ
る回転部と、を備え、凹部は、頭部と対向する底部と、底部に立設され、頭部の周りに配
置された側部と、側部に設けられ、頭部に係止する爪部と、を有している。
【０００７】
本考案に係るドライバー玩具では、凹部にボルトの頭部が嵌め込まれる。凹部は、底部
及び側部に加えて、側部に設けられ、頭部に係止する爪部を有している。このため、凹部
に嵌め込まれたボルトの頭部は、爪部に引っ掛かり、凹部に嵌め込まれた状態に保たれ易
い。したがって、ボルトを締結する際に、ボルトを手で保持しなくてもよい。このため、
低年齢の子供でも容易にボルトを締結できる。
【０００８】
凹部は、回転部に対して着脱可能に設けられていてもよい。この場合、例えばボルトの
頭部の形状に合わせて、凹部を取り換えることができる。
【０００９】
頭部は多角形状であり、爪部は、頭部の角部に係止してもよい。この場合、ボルトの頭
部が凹部に嵌め込まれた状態に安定して保たれる。
【００１０】
側部には、側部の先端から底部に向かって延びるスリットが設けられていてもよい。こ
の場合、側部が変形し易いので、凹部にボルトの頭部を容易に嵌め込むことができる。
【００１１】
スリットは、頭部の角部を露出させるように設けられていてもよい。この場合、側部が
角部を覆う屈曲部を有している場合に比べて、側部が変形し易いので、凹部にボルトの頭
部を嵌め込み易い。
【００１２】
爪部及びスリットは、頭部の周りに交互に設けられていてもよい。この場合、スリット
を側部に分散させることができるので、側部の一部を局所的に変形させることなく、側部
全体を少しずつ変形させることができる。したがって、側部が破損し難い。また、爪部を
側部に分散させることができるので、ボルトの頭部が凹部に嵌め込まれた状態に一層保た
れ易い。
【００１３】
凹部は、樹脂材料により構成されていてもよい。この場合、側部が変形し易い。
【００１４】
本考案に係る組立玩具は、上記ドライバー玩具と、ボルトと、ドライバー玩具によりボ
ルトが締結される第１部材と、ボルトにより第１部材に連結される第２部材と、を備える
。
【００１５】
本考案に係る組立玩具では、上記ドライバー玩具を備えるので、低年齢の子供でも容易
にボルトを締結できる。
【考案の効果】
【００１６】
本考案によれば、低年齢の子供でも容易にボルトを締結できる。
【図面の簡単な説明】
【００１７】
【図１】実施形態に係るドライバー玩具の側面図である。
【図２】図１に示されるアタッチメント及びボルトの分解斜視図である。
【図３】実施形態に係る組立ユニットの斜視図である。
【図４】変形例に係る組立ユニットの斜視図である。
【考案を実施するための形態】
【００１８】
以下、図面を参照して、実施形態について詳細に説明する。なお、図面中の同一又は相
当部分には同一符号を付すこととする。
【００１９】
図１は、実施形態に係るドライバー玩具の側面図である。図２は、図１に示されるドラ
イバー玩具の分解斜視図である。図１及び図２に示されるように、実施形態に係るドライ
バー玩具１は、本体２と、本体２に対して着脱可能なアタッチメント３と、を備えている
。ドライバー玩具１は、ボルト１０をネジ孔３１ａ（図３参照）に締結させるために用い
られる玩具である。ドライバー玩具１は、特に、低年齢の子供（例えば４歳以上６歳以下
）を対象とした玩具である。ドライバー玩具１は、例えば、後述する組立ユニット３０を
組み立てる際に用いられる。
【００２０】
ボルト１０は、例えばＡＢＳ樹脂（アクリロニトリル、ブタジエン及びスチレンの共重
合体）等の樹脂材料から構成されている。ボルト１０は、頭部１１と、頭部１１から突出
するネジ１２と、を有している。頭部１１は、例えば、多角形状である。頭部１１は、例
えば、六角形状、星型形状である。頭部１１は、例えば、星型五角形状である。頭部１１
は、厚さが一定の板部材であってもよいし、厚さが場所によって変化する立体形状であっ
てもよい。頭部１１は、例えば樹脂材料の射出成形により形成されている。頭部１１は、
例えば射出成形の際にアンダーカットとならない形状である。
【００２１】
本体２は、ハウジング４と、グリップ５と、回転部６と、トリガ７と、切替スイッチ８
とを備えている。ハウジング４及びグリップ５は、例えばＡＢＳ樹脂等の樹脂材料から一
体的に構成されている。ハウジング４は、例えば略円筒状を呈している。ハウジング４の
軸方向の一方の端部４ａには、アタッチメント３が取り付けられている。ハウジング４の
軸方向の他方の端部４ｂは、塞がれており、丸みを帯びた形状を呈している。グリップ５
は、端部４ｂから下方に延びるように設けられている。
【００２２】
回転部６は、ハウジング４の内部に収容されている。回転部６は、アタッチメント３を
回転させるモータ９と、モータ９とアタッチメント３とを接続する接続部（不図示）と、
を有している。モータ９は、トリガ７が押されている場合は動作状態となり、トリガ７が
押されていない場合は停止状態となる。接続部は、シャフト、ギア及びトルクリミッタ等
により構成されており、モータ９の回転をアタッチメント３に伝える。トリガ７は、モー
タ９の動作状態及び停止状態を切り替えるためのスイッチである。トリガ７は、グリップ
５に設けられている。トリガ７は、グリップ５において、ハウジング４の軸方向の一方を
向く面に設けられている。トリガ７は、例えばグリップ５を把持した手で操作可能に設け
られている。
【００２３】
切替スイッチ８は、モータ９の回転方向を切り替えるためのスイッチである。切替スイ
ッチ８は、スライドスイッチである。切替スイッチ８を正方向に設定すると、モータ９が
正方向に回転し、ボルト１０をネジ孔３１ａ（図３参照）に締結させることができる。切
替スイッチ８を逆方向に設定すると、モータ９が逆方向に回転し、ネジ孔３１ａに締結さ
れたボルト１０をネジ孔３１ａから取り外すことができる。
【００２４】
アタッチメント３は、端部４ａに取り付けられている。アタッチメント３は、ボルト１
０の頭部１１がはめ込まれる凹部２０と、軸２１と、を有している。凹部２０は、底部２
２と、側部２３と、複数（ここでは５つ）の爪部２４と、を有している。底部２２と、側
部２３と、複数（ここでは５つ）の爪部２４とは、一体的に形成されている。底部２２は
、ボルト１０の頭部１１と対向する板部材である。底部２２とボルト１０との対向方向か
ら見て、底部２２は頭部１１と同形状である。側部２３は、底部２２に立設され、頭部１
１の周りに配置されている。側部２３は、頭部１１の側面を覆っている。側部２３は、底
部２２の外縁に沿って延在する板部材である。
【００２５】
爪部２４は、側部２３の内面２３ａに設けられ、ボルト１０の頭部１１に係止する。こ
れにより、頭部１１と底部２２との対向方向において、頭部１１の移動が規制される。爪
部２４は、例えば、側部２３の先端部分に設けられている。爪部２４は、側部２３から凹
部２０の内側に向かって延びる突起（凸部）である。頭部１１を凹部２０に嵌め込む際、
及び頭部１１を凹部２０から取り外す際、爪部２４は頭部１１に引っ掛かり、係止状態と
なる。爪部２４は滑らかな表面形状を有しているため、所定以上の力が加わると、頭部１
１は、爪部２４の表面上を滑るように移動し、爪部２４を乗り越える。爪部２４は、多角
形状の頭部１１の角部に係止する。爪部２４は、例えば、星型五角形において鋭角をなす
５つの角部のそれぞれに設けられ、各角部に係止する。
【００２６】
側部２３には、側部２３の先端２３ｂから底部２２に向かって延びる複数（ここでは６
つ）のスリット２５が設けられている。スリット２５の深さは、側部２３の高さと同等で
ある。スリット２５は、例えば、星型五角形において鈍角をなす５つの角部のそれぞれに
設けられている。スリット２５は、頭部１１の角部を露出させるように設けられている。
爪部２４及びスリット２５は、頭部１１の周りに交互に設けられている。
【００２７】
軸２１は、底部２２にボルト２６で固定されている。軸２１は、底部２２における側部
２３が設けられた面とは反対側の面に設けられている。軸２１は、凹部２０の外側に向か
って延びている。軸２１は、回転部６の接続部に対して着脱自在に取り付けられる。すな
わち、アタッチメント３は、回転部６に対して着脱自在に設けられている。また、回転部
６は凹部２０を回転させる。
【００２８】
図３は、実施形態に係る組立ユニットの斜視図である。図３に示される組立ユニット３
０は、ドライバー玩具１により組み立てられる玩具である。組立ユニット３０は、ドライ
バー玩具１と共に、実施形態に係る組立玩具を構成している。組立ユニット３０は、パネ
ル部材３１と、ジョイント部材３２，３３，３４と、留付け部材３５と、ボルト１０と、
を有している。図３では、組立ユニット３０は、略立方体形状の箱として組み立てられて
いる途中の状態が示されている。
【００２９】
パネル部材３１は、例えば矩形状の板部材である。パネル部材３１には、複数のネジ孔
３１ａが設けられている。複数のネジ孔３１ａは、パネル部材３１の全体に等間隔で配列
されている。複数のネジ孔３１ａは、例えば正方格子の格子点位置に配列されている。ネ
ジ孔３１ａは、パネル部材３１を厚さ方向において貫通している。パネル部材３１の各辺
部は、他のパネル部材３１の辺部と互いに嵌り合う凹凸形状となっている。パネル部材３
１は、例えばＡＢＳ樹脂等の樹脂材料から構成されている。
【００３０】
ジョイント部材３２は、一対のパネル部材３１を互いに連結する部材である。ジョイン
ト部材３２は、一対のパネル部材３１の互いの相対位置を固定した状態で、一対のパネル
部材３１を互いに連結する。ジョイント部材３２には、一対の貫通孔３２ａが設けられて
いる。一方の貫通孔３２ａは、一方のパネル部材３１のネジ孔３１ａと重なるように配置
されている。他方の貫通孔３２ａは、他方のパネル部材３１のネジ孔３１ａと重なるよう
に配置されている。この状態で、ドライバー玩具１により各ボルト１０のネジ１２が各貫
通孔３２ａを通って各ネジ孔３１ａに締結される。これにより、ジョイント部材３２を一
対のパネル部材３１に取り付ける（連結する）ことができる。この結果、一対のパネル部
材３１が互いに連結される。ジョイント部材３２は、例えば略直角に屈曲された屈曲部を
有している。これにより、互いに略直角をなすように配置された一対のパネル部材３１を
互いに連結することができる。ジョイント部材３２は、例えばＰＰ（ポリプロピレン）等
の樹脂材料から構成されている。
【００３１】
ジョイント部材３３は、３つのパネル部材３１を互いに連結する部材である。ジョイン
ト部材３３は、これらのパネル部材３１の互いの相対位置を固定した状態で、これらのパ
ネル部材３１を互いに連結する。ジョイント部材３３には、４つの貫通孔３３ａが設けら
れている。１つ目の貫通孔３３ａは、１つ目のパネル部材３１のネジ孔３１ａと重なるよ
うに配置されている。２つ目の貫通孔３３ａは、２つ目のパネル部材３１のネジ孔３１ａ
と重なるように配置されている。３つ目の貫通孔３３ａは、２つ目のパネル部材３１の他
のネジ孔３１ａと重なるように配置されている。４つ目の貫通孔３３ａは、３つ目のパネ
ル部材３１のネジ孔３１ａと重なるように配置されている。この状態で、ドライバー玩具
１により各ボルト１０のネジ１２が各貫通孔３３ａを通って各ネジ孔３１ａに締結される
。これにより、ジョイント部材３３を３つのパネル部材３１に取り付ける（連結する）こ
とができる。この結果、３つのパネル部材３１が互いに連結される。ジョイント部材３３
は、例えば略直角に屈曲された屈曲部を有している。これにより、互いに略直角をなすよ
うに配置された一対のパネル部材３１を互いに連結することができる。ジョイント部材３
３は、箱の底部を構成する平面部を有している。ジョイント部材３３は、例えばＰＰ等の
樹脂材料から構成されている。
【００３２】
ジョイント部材３４は、一対のパネル部材３１を互いに連結する部材である。ジョイン
ト部材３４は、一方向に延びる帯状の部材であり、ジョイント部材３４の両端部には、一
対の貫通孔３４ａが設けられている。一方の貫通孔３４ａは、一方のパネル部材３１のネ
ジ孔３１ａと重なるように配置されている。他方の貫通孔３４ａは、他方のパネル部材３
１のネジ孔３１ａと重なるように配置されている。貫通孔３４ａの内径は、ネジ孔３１ａ
の内径と同等である。この状態で、ドライバー玩具１により各ボルト１０のネジ１２が各
貫通孔３４ａを通って各ネジ孔３１ａに締結される。これにより、ジョイント部材３４を
一対のパネル部材３１に取り付ける（連結する）ことができる。この結果、一対のパネル
部材３１が互いに連結される。ジョイント部材３４は、例えばＰＰ等の柔軟性を有する材
料により構成されている。このため、ジョイント部材３４は、一対のパネル部材３１の互
いの相対位置を固定せずに、一対のパネル部材３１を互いに連結することができる。ここ
では、ジョイント部材３４は、蓋として機能するパネル部材３１を、複数のパネル部材３
１が組み合わされて構成された箱本体に開閉可能に連結する。
【００３３】
留付け部材３５は、一対のパネル部材３１を互いに連結する部材である。留付け部材３
５は、一方向に延びる帯状の部材であり、留付け部材３５の一方の端部には、貫通孔３５
ａが設けられていると共に、他方の端部には、貫通孔３５ｂが設けられている。貫通孔３
５ａは、一方のパネル部材３１のネジ孔３１ａと重なるように配置されている。貫通孔３
５ａの内径は、ネジ孔３１ａの内径と同等である。この状態で、ボルト１０のネジ１２が
貫通孔３５ａを通ってネジ孔３１ａに締結されることにより、留付け部材３５の一方の端
部を一方のパネル部材３１に取り付ける（連結する）ことができる。
【００３４】
貫通孔３５ｂには、他方のパネル部材３１のネジ孔３１ａに締結されたボルト１０の頭
部１１が嵌め込まれる。貫通孔３５ｂの内径は、この頭部１１の外接円の直径と同等であ
る。貫通孔３５ｂに頭部１１を嵌め込むことにより、留付け部材３５の他方の端部を他方
のパネル部材３１に取り付ける（連結する）ことができる。この結果、一対のパネル部材
３１が互いに連結される。留付け部材３５は、例えばＰＰ等の柔軟性を有する材料により
構成されている。貫通孔３５ｂに嵌め込まれるボルト１０の頭部１１は、星型形状であり
、角部が鋭角である。したがって、角部が貫通孔３５ｂの内面に局所的に食い込むので、
頭部１１が貫通孔３５ｂにしっかりと留め付けられる。
【００３５】
続いて、ドライバー玩具１の使用方法について説明する。まず、ボルト１０をパネル部
材３１のネジ孔３１ａに締結する場合について説明する。必要に応じてネジ孔３１ａに貫
通孔３２ａ等を重ねた状態で、ボルト１０が取り付けられる。まず、アタッチメント３を
本体２に取り付ける。続いて、アタッチメント３の凹部２０に、締結しようとするボルト
１０の頭部１１を嵌め込む。このとき、頭部１１が凹部２０の入口で爪部２４に引っ掛か
るものの、頭部１１を所定以上の力で押せば、頭部１１が爪部２４を乗り越えて凹部２０
に嵌め込まれる。頭部１１は凹部２０に嵌め込まれると、爪部２４に係止された状態とな
る。したがって、頭部１１を凹部２０内に保持することができる。なお、凹部２０に頭部
１１を嵌め込んだ後、ボルト１０ごとアタッチメント３を本体２に取り付けてもよい。
【００３６】
続いて、切替スイッチ８を操作し、モータ９の回転方向を正方向に設定する。続いて、
グリップ５を手で握った状態で、ネジ１２の先端を、パネル部材３１のネジ孔３１ａに当
接させる。続いて、手でトリガ７を押し、モータ９を動作状態とする。これにより、アタ
ッチメント３と共に、ボルト１０のネジ１２が回転し、ネジ孔３１ａに締結される。ボル
ト１０がネジ孔３１ａに締結された後、凹部２０から頭部１１を取り外す。このとき、頭
部１１が凹部２０の出口で爪部２４に引っ掛かるものの、アタッチメント３を所定以上の
力で引っ張れば、頭部１１が爪部２４を乗り越えて凹部２０から取り外される。
【００３７】
次に、ボルト１０をパネル部材３１のネジ孔３１ａから取り外す場合について説明する
。まず、アタッチメント３を本体２に取り付ける。続いて、アタッチメント３の凹部２０
に取り外そうとするボルト１０の頭部１１を嵌め込む。具体的には、手でグリップ５を握
った状態で、頭部１１にアタッチメント３の凹部２０を被せる。このとき、頭部１１が凹
部２０の入口で爪部２４に引っ掛かるものの、アタッチメント３を所定以上の力で押せば
、頭部１１が爪部２４を乗り越えて凹部２０に嵌め込まれる。頭部１１は凹部２０に嵌め
込まれると、爪部２４に係止された状態となる。したがって、頭部１１を凹部２０内に保
持することができる。なお、凹部２０に頭部１１を嵌め込んだ後、アタッチメント３を本
体２に取り付けてもよい。
【００３８】
続いて、切替スイッチ８を操作し、モータ９の回転方向を逆方向に設定する。続いて、
手でトリガ７を押し、モータ９を動作状態とする。これにより、アタッチメント３と共に
、ボルト１０のネジ１２が回転し、ネジ孔３１ａから取り外される。ボルト１０がネジ孔
３１ａから取り外された後、凹部２０から頭部１１を取り外す。このとき、頭部１１が凹
部２０の出口で爪部２４に引っ掛かるものの、アタッチメント３を所定以上の力で引っ張
れば、頭部１１が爪部２４を乗り越えて凹部２０から取り外される。
【００３９】
以上説明したように、ドライバー玩具１では、凹部２０にボルト１０の頭部１１が嵌め
込まれる。凹部２０は、底部２２及び側部２３に加えて、爪部２４を有している。このた
め、凹部２０に嵌め込まれたボルト１０の頭部１１は、爪部２４に引っ掛かり、凹部２０
に嵌め込まれた状態に保たれ易い。したがって、ボルト１０を締結する際に、ボルト１０
を手で保持しなくてもよい。このため、低年齢の子供でも容易にボルト１０を締結できる
。
【００４０】
凹部２０は、回転部６に対して着脱可能に設けられている。このため、例えばボルト１
０の頭部１１の形状に合わせて、凹部２０を取り換えることができる。
【００４１】
頭部１１は多角形状であり、爪部２４は、頭部１１の角部に係止する。角部は２つの辺
部の交点であることから、爪部２４が頭部１１の２つの辺部を係止することになる。した
がって、ボルト１０の頭部１１が凹部２０に嵌め込まれた状態に安定して保たれる。
【００４２】
側部２３には、先端２３ｂから底部２２に向かって延びるスリット２５が設けられてい
る。このため、側部２３の剛性が低下し、側部２３が変形し易いので、凹部２０にボルト
１０の頭部１１を容易に嵌め込むことができる。例えば、頭部１１が爪部２４を乗り越え
て凹部２０に嵌め込まれる際、又は、頭部１１が爪部２４を乗り越えて凹部２０から取り
外される際、側部２３は、凹部２０の外側に押し広げられるように変形する。特に、側部
２３にはスリット２５が設けられているので、このような変形がなされ易い。
【００４３】
スリット２５は、頭部１１の角部を露出させるように設けられている。このため、例え
ば、側部２３が角部を覆う屈曲部を有している場合に比べて、側部２３の剛性が低下し、
側部２３が変形し易い。したがって、凹部２０に対する頭部１１の着脱が容易となる。
【００４４】
爪部２４及びスリット２５は、頭部１１の周りに交互に設けられている。このため、ス
リット２５を側部２３に分散させることができるので、側部２３の一部を局所的に変形さ
せることなく、側部２３全体を少しずつ変形させることができる。したがって、側部２３
が破損し難い。また、爪部２４を側部２３に分散させることができるので、ボルト１０の
頭部１１が凹部２０に嵌め込まれた状態に一層保たれ易い。
【００４５】
凹部２０は、樹脂材料により構成されている。このため、側部２３が変形し易い。
【００４６】
組立玩具は、ドライバー玩具１と、組立ユニット３０とを備えている。組立ユニット３
０は、ボルト１０と、ボルト１０が締結されるパネル部材３１と、ボルト１０によりパネ
ル部材３１に連結されるジョイント部材３２，３３，３４及び留付け部材３５を有してい
る。組立ユニット３０は、ドライバー玩具１により組み立てられるので、低年齢の子供で
も容易にボルト１０を締結できる。
【００４７】
本考案は上述した実施形態に限らず、様々な変形が可能である。
【００４８】
例えば、上記実施形態では、組立ユニット３０として略立方体形状の箱を例示したが、
組立ユニット３０は、例えば、直方体形状の箱、底面が円形状の箱であってもよい。また
、組立ユニット３０は、例えば、ブレスレット等のアクセサリー、ストラップ又はキーホ
ルダーであってもよい。また、ジョイント部材３３，３４は、屈曲部を有さず、一対のパ
ネル部材３１を横に並べた状態で互いに接続してもよい。また、例えば絵柄が設けられた
シートをボルト１０によりネジ孔３１ａに取り付け、組立ユニット３０を飾り付けてもよ
い。ボルト１０の頭部１１は、多角形状に限られずハート形状等であってもよい。
【００４９】
図４は、変形例に係る組立ユニットの斜視図である。変形例に係る組立ユニット３０Ａ
は、一対のバンド部材３６と、ボルト１０と、を備えている。バンド部材３６は一方向に
延びる帯状の部材である。バンド部材３６の一方の端部には、貫通孔３６ａが設けられて
いる。バンド部材３６の他方の端部には、ネジ孔３６ｂが設けられている。一対のバンド
部材３６は、一方のバンド部材３６の貫通孔３６ａが他方のバンド部材３６のネジ孔３６
ｂと重なるように配置されている。この状態で、ドライバー玩具１によりボルト１０のネ
ジ１２が貫通孔３６ａを通ってネジ孔３６ｂに締結されている。これにより、一対のバン
ド部材３６は互いに連結されている。他方のバンド部材３６に締結されたボルト１０によ
り、一方のバンド部材３６は他方のバンド部材３６に連結されているとも言える。３つ以
上のバンド部材３６を互いに連結してもよい。
【００５０】
バンド部材３６の中央部には、ネジ孔３６ｃが設けられている。例えば、ボルト１０を
ネジ孔３６ｃに締結し、組立ユニット３０Ａを飾り付けてもよい。バンド部材３６は、例
えばＰＰ等の柔軟性を有する材料により構成されている。更に、バンド部材３６は、貫通
孔３６ａとネジ孔３６ｃとの間、及びネジ孔３６ｂとネジ孔３６ｃとの間に薄肉部３６ｄ
を有している。したがって、バンド部材３６を容易に湾曲させることができる。これによ
り、ブレスレット等のアクセサリーを容易に構成できる。
【符号の説明】
【００５１】
１…ドライバー玩具、６…回転部、１０…ボルト、１１…頭部、２０…凹部、２１…軸
、２２…底部、２３…側部、２３ｂ…先端、２４…爪部、２５…スリット、３０，３０Ａ
…組立ユニット、３１…パネル部材（第１部材）、３２，３３，３４…ジョイント部材（
第２部材）、３５…留付け部材（第２部材）、３６…バンド部材（第１部材、第２部材）
。
【図１】
0003229507.tif 000003
【図２】
0003229507.tif 000004
【図３】
0003229507.tif 000005
【図４】
0003229507.tif 000006